(57)【要約】【課題】シャフトからベアリングを簡便に効率良く取り外すことができるベアリング取り外し用工具の提供を目的とする。【解決手段】ベアリングを支持する支持部１１、および支持部１１を貫通する軸部１２を有し、軸部１２の回動により支持部１１が軸部１２の軸方向に沿って移動し得るベアリング支持部材１０と、打撃が加えられる打撃部２１、および打撃部２１に加えられる打撃により回動する回動部２２とを有し、回動部２２の回動によりベアリング支持部材１０の軸部１２を回動させる打撃回動部材２０と、を有することを特徴とするベアリング取り外し用工具１。【選択図】図２
2012152841.tif 000002
【特許請求の範囲】
【請求項１】
ベアリングを支持する支持部、および該支持部を貫通する軸部を有し、前記軸部の回動により前記支持部が前記軸部に沿って移動し得るベアリング支持部材と、
打撃が加えられる打撃部、および該打撃部に加えられる打撃により回動する回動部とを有し、該回動部の回動により前記ベアリング支持部材の軸部を回動させる打撃回動部材と、
を有することを特徴とするベアリング取り外し用工具。
【請求項２】
前記ベアリング支持部材と打撃回動部材の間に、前記ベアリング支持部の軸部と前記打撃回動部の回動部とを、それらの回動が連動するように連結する連結部材を有する、請求項１に記載のベアリング取り外し用工具。
【発明の詳細な説明】
【技術分野】
【０００１】
本発明は、ベアリング取り外し用工具に関する。
【背景技術】
【０００２】
様々な機械において、回動するシャフトの支持部材としてベアリングが広く使用されている。メンテナンス、リサイクル等の目的で、シャフトに装着されたベアリングを取り外す際には、ベアリングプーラ等のベアリング取り外し用工具が用いられる。
【０００３】
ベアリングプーラのようなベアリング取り外し用工具としては、例えば、図４に示すように、ベアリング１２２を両側から支持する２つのアーム部１１１ａ、１１１ｂ、およびそれらアーム部１１１ａ、１１１ｂの上部を貫通する支持基部１１１ｃを有する支持部１１１と；支持部１１１の支持基部１１１ｃに形成されたねじ穴１１１ｄに螺合するように貫通する軸部１１２とを有するベアリング取り外し用工具１０１（以下、「取り外し用工具１０１」という。）が知られている（例えば、特許文献１）。２つのアーム部１１１ａ、１１１ｂは、支持基部１１１ｃにおいて、軸部１１２の両側に位置し、支持基部１１１ｃに沿って移動できるようになっている。また、支持部１１１は、軸部１１２が回動することによって、軸部１１２の軸方向に沿って移動できるようになっている。
【０００４】
取り外し用工具１０１における軸部１１２をシャフト１２１に当接させ、シャフト１２１に装着されたベアリング１２２を支持部１１１の２つのアーム部１１１ａ、１１１ｂで挟み込んで支持し、この状態から軸部１１２を回動させて支持部１１１を上昇させることで、シャフト１２１からベアリング１２２を引き抜いて取り外すことができる。
【先行技術文献】
【特許文献】
【０００５】
【特許文献１】特開２００５−２７９８０９号公報
【発明の概要】
【発明が解決しようとする課題】
【０００６】
しかし、取り外し用工具１０１のような工具によってシャフトに装着されたベアリングを取り外す場合には、ベアリングがシャフトに強固に固着していると、軸部１１２を回動させることが困難となり、ベアリングの取り外しが速やかに行えないことがある。
【０００７】
本発明は、シャフトに装着されたベアリングを簡便に効率良く取り外すことができるベアリング取り外し用工具の提供を目的とする。
【課題を解決するための手段】
【０００８】
本発明は、前記課題を解決するために以下の構成を採用した。
［１］ベアリングを支持する支持部、および該支持部を貫通する軸部を有し、前記軸部の回動により前記支持部が前記軸部に沿って移動し得るベアリング支持部材と、
打撃が加えられる打撃部、および該打撃部に加えられる打撃により回動する回動部とを有し、該回動部の回動により前記ベアリング支持部材の軸部を回動させる打撃回動部材と、
を有することを特徴とするベアリング取り外し用工具。
［２］前記ベアリング支持部材と打撃回動部材の間に、前記ベアリング支持部の軸部と前記打撃回動部の回動部とを、それらの回動が連動するように連結する連結部材を有する、［１］に記載のベアリング取り外し用工具。
【発明の効果】
【０００９】
本発明のベアリング取り外し用工具を使用すれば、シャフトからベアリングを簡便に効率良く取り外すことができる。
【図面の簡単な説明】
【００１０】
【図１】本発明のベアリング取り外し用工具の各部材を分解した様子を示した正面図である。
【図２】図１のベアリング取り外し用工具の各部材を連結した様子を示した正面図である。
【図３】図１のベアリング取り外し用工具におけるベアリング支持部材によってベアリングを支持する様子を示した正面図である。
【図４】従来のベアリング取り外し用工具によってベアリングを取り外す様子を示した正面図である。
【発明を実施するための形態】
【００１１】
本発明のベアリング取り外し用工具は、シャフトに装着されたベアリングを、該シャフトから取り外すのに使用する工具である。以下、本発明のベアリング取り外し用工具の一例を示して詳細に説明する。
本実施形態のベアリング取り外し用工具１（以下、「取り外し用工具１」という。）は、図１および図２に示すように、ベアリング支持部材１０と、打撃回動部材２０と、連結部材３０とを有する。
【００１２】
ベアリング支持部材１０は、ベアリングを支持する支持部１１と、支持部１１を貫通する軸部１２を有する。支持部１１は、ベアリングを両側から支持する第１のアーム部１４および第２のアーム部１５と、それら第１のアーム部１４と第２のアーム部１５の上部を直交するように貫通する支持基部１３とを有している。軸部１２は、支持基部１３を直交する方向に貫通するように設けられており、第１のアーム部１４と第２のアーム部１５が軸部１２の両側に位置するようになっている。
【００１３】
支持基部１３の両端にはストッパー１３ａ、１３ｂが設けられており、第１のアーム部１４と第２のアーム部１５が、軸部１２とストッパー１３ａ、１３ｂの間を支持基部１３の軸方向に沿って移動できるようになっている。第１のアーム部１４と第２のアーム部１５の先端部分には、内側に向かって延びる爪部１４ａ、爪部１５ａが設けられている。
ベアリング支持部材１０は、支持部１１の第１のアーム部１４と第２のアーム部１５を支持基部１３の軸方向に沿って移動させて幅を調節することで、第１のアーム部１４と第２のアーム部１５によって様々なサイズのベアリングを挟み込んで支持できる。
【００１４】
軸部１２は、外周にねじ溝が形成されており、支持基部１３を貫通するように設けられたねじ穴１３ｃに螺合されて、支持基部１３を貫通している。これにより、軸部１２が回動することによって、支持部１１が軸部１２の軸方向に沿って移動するようになっている。
【００１５】
軸部１２の下端、つまり支持部１１の第１のアーム部１４および第２のアーム部１５の先端側の端には、軸部１２の軸方向を中心として回動できるように設けられた押圧部１６が設けられている。押圧部１６は、ベアリングが装着されたシャフトを押圧する部分である。
【００１６】
また、軸部１２の上端、つまり支持部１１の第１のアーム部１４および第２のアーム部１５の先端側と逆側の端には、連結部材３０と連結させるための連結用突部１７が設けられている。
この例の連結用突部１７の形状は六角柱状である。ただし、連結用突部１７の形状は、後述する連結部材３０の連結用凹部３２ａに嵌め込んで連結させることで、連結部材３０の回動に連動して軸部１２が回動できるような形状であればよく、四角柱状等であってもよい。
【００１７】
打撃回動部材２０は、ベアリング支持部材１０の軸部１２を回動させるための部材であり、打撃が加えられる打撃部２１と、打撃部２１の先端側に設けられ、打撃部２１に加えられる打撃によって回動する回動部２２とを有している。
打撃回動部材２０は、例えば、打撃部２１の打撃部本体２１ａを片手で持ち、後端部２１ｂをハンマー等で叩いて打撃を加えることで、その打撃によって回動部２２が回動する仕組みになっている。このような仕組みとしては、例えば、柄の後端部分にハンマー等で打撃を加えることで、先端部分に備えたドライバービットを回動させるショックドライバーに採用されているものが挙げられる。
【００１８】
打撃回動部材２０の回動部２２には、後述する連結部材３０と連結し得る連結用凹部２３が設けられている。
連結用凹部２３における打撃回動部材２０の軸に直交する方向に切断したときの断面形状は、この例では六角形状である。ただし、連結用凹部２３の前記断面形状は、後述する連結部材３０の第２の連結部３３を嵌め込むことで、回動部２２の回動に連動して連結部材３０を回動させることができる形状であればよく、四角形状等であってもよい。
【００１９】
打撃回動部材２０としては、例えば、ドライバービットが取り外し可能なショックドライバーからドライバービットを取り外した部材等が使用できる。
【００２０】
連結部材３０は、ベアリング支持部材１０の軸部１２と打撃回動部材２０の回動部２２とを、それらの回動が連動するように連結する部材である。連結部材３０は、基部３１の一方の側に、ベアリング支持部材１０の軸部１２と連結される第１の連結部３２が設けられ、基部３１の他方の側に打撃回動部材２０の回動部２２と連結される第２の連結部３３が設けられている。
【００２１】
第１の連結部３２には、ベアリング支持部材１０における軸部１２の連結用突部１７が嵌め込まれる連結用凹部３２ａが形成されている。連結部材３０の連結用凹部３２ａに、ベアリング支持部材１０における軸部１２の連結用突部１７を嵌め込むことで、連結部材３０の回動に連動してベアリング支持部材１０の軸部１２が回動する。
連結用凹部３２ａにおける連結部材３０の軸に直交する方向に切断したときの断面形状は、この例では連結用突部１７の形状に相補的な六角形状である。ただし、連結用凹部３２ａにおける前記断面形状は、ベアリング支持部材１０における軸部１２の連結用突部１７を嵌め込むことで、連結部材３０の回動と軸部１２の回動を連動させることができる形状であればよく、連結用突部１７の形状に合わせて決定される。例えば、連結用突部１７の形状が四角柱状であれば、連結用凹部３２ａの前記断面形状はその連結用突部１７の形状に相補的な四角形状とする。
【００２２】
第２の連結部３３の形状は、打撃回動部材２０の回動部２２に形成された連結用凹部２３に嵌め込んで、打撃回動部材２０の回動部２２の回動と連結部材３０の回動を連動させることができる形状であればよく、この例では六角柱状である。第２の連結部３３の形状は、例えば、回動部２２の連結用凹部２３の前記断面形状が四角形状である場合は、その形状に応じた四角柱状を採用する。
【００２３】
以下、取り外し用工具１を用いてシャフトに装着されたベアリングを取り外す際の取り外し用工具１の作用について説明する。
ベアリング支持部材１０における支持部１１の第１のアーム部１４と第２のアーム部１５を、支持基部１３の軸方向に沿って移動させて幅を調節し、図３に示すように、シャフト４１に装着されたベアリング４２を第１のアーム部１４と第２のアーム部１５で挟み込んで支持する。この例の取り外し用工具１では、ベアリング支持部材１０における第１のアーム部１４の爪部１４ａと、第２のアーム部１５の爪部１５ａをベアリング４２の下端側に引っ掛けるようにして固定する。
【００２４】
その後、ベアリング支持部材１０における軸部１２の連結用突部１７と連結部材３０の連結用凹部３２ａを嵌め込み、さらに連結部材３０の第２の連結部３３と打撃回動部材２０における回動部２２の連結用凹部２３を嵌め込むことで、連結部材３０によりベアリング支持部材１０と打撃回動部材２０を連結する。
【００２５】
この状態で、打撃回動部材２０における打撃部２１の打撃部本体２１ａを片手で把持し、他方の手でハンマー等を使用して打撃部２１の後端部２１ｂを叩いて打撃を加える。打撃部２１の後端部２１ｂに打撃が加えられると、その打撃によって回動部２２が回動し、それに連動して連結部材３０とベアリング支持部材１０における軸部１２が回動する。軸部１２は、押圧部１６が軸部１２の軸方向を中心として回動できるように設けられているので、押圧部１６がシャフト４１に当接して固定された状態で軸部１２の軸部分が回動する。このように、押圧部１６がシャフト４１の上端を押圧した状態で軸部１２を回動させることで、支持部１１が軸部１２の軸方向に沿って上昇し、シャフト４１に装着されたベアリング４２が引き抜かれて取り外される。
【００２６】
前述したように、従来、ベアリングプーラのようなベアリング取り外し用工具を使用してシャフトに装着されたベアリングを取り外す際には、ベアリングがシャフトに強固に固着していることで、その工具におけるシャフトを押圧する軸部を回動させることが困難なことがあった。この場合、前記軸部の回動を一旦中断し、該軸部をハンマー等で叩いて打撃を加えることで、その打撃が軸部の回動のきっかけが生じることがある。
本実施形態の取り外し用工具１では、シャフトに装着されたベアリングを取り外す際に、打撃回動部材２０における打撃部２１に打撃を加えることで、ベアリング支持部材１０における軸部１２に打撃を加えつつ軸部１２を回動させるので、軸部１２の回動が困難になることを抑制することができる。そのため、軸部１２をより効率的に回動させることができるので、従来の工具に比べ、より簡便に効率良くシャフトからベアリングを取り外すことができる。
【００２７】
なお、本発明のベアリング取り外し用工具は、前記取り外し用工具１には限定されない。例えば、取り外し用工具１は、ベアリング支持部材１０と打撃回動部材２０を、連結部材３０で連結する形態であったが、ベアリング支持部材１０における軸部１２の連結用突部１７を、打撃回動部材２０における回動部２２の連結用凹部２３に嵌め込んで、打撃回動部材２０の回動部２２の回動とベアリング支持部材１０の軸部１２の回動を連動させることができる場合は、連結部材３０を有さないベアリング取り外し用工具であってもよい。
また、ベアリング支持部材は、支持部によってベアリングを支持し、軸部の回動によって該軸部の軸方向に沿って支持部が移動してベアリングを引き抜ける形態であれば、前記ベアリング支持部材１０には限定されない。
また、打撃回動部材は、打撃部に打撃を加えることで該打撃部に連結された回動部が回動し、その回動によってベアリング支持部材における軸部を回動させることができるものであれば、前記打撃回動部材２０には限定されない。
【符号の説明】
【００２８】
１  取り外し用工具
１０  ベアリング支持部材
１１  支持部
１２  軸部
２０  打撃回動部材
２１  打撃部
２２  回動部
３０  連結部材
【図１】
2012152841.tif 000003
【図２】
2012152841.tif 000004
【図３】
2012152841.tif 000005
【図４】
2012152841.tif 000006